(57)【要約】【課題】  その都度接写モードやマクロモードに設定したり画角を合わせたりすることをせずに紙などのシート状部材の表面に表示された情報表示を撮像可能とする携帯撮像機を提供する。【解決手段】  携帯電話を折りたたんだ状態でキー操作部側本体と上蓋３８との間に名刺４０を挟むと、携帯電話の撮影レンズの焦点が名刺４０の撮影レンズに対向する面に合うことによって名刺４０に表示されているバーコード４２の情報表示を携帯電話の撮像部が撮像することができる。【選択図】  図５
2005150924.tif 000002
【特許請求の範囲】
【請求項１】
被写体を撮影する光学系を備えた撮像手段を有し、キー操作部側本体と表示部側本体とを回動軸で折りたためる構造とすると共に折りたたんだ内側に前記光学系が向く携帯撮像機であって、
折りたたんだ状態でキー操作部側本体と表示部側本体との間にシート状部材を挟んだ場合に当該挟んだシート状部材の前記光学系に対向する面に前記光学系の焦点を合わせると共に前記撮像手段は当該対向する面の情報表示を撮像可能となっていることを特徴とする携帯撮像機。
【請求項２】
前記挟んだシート状部材の前記光学系に対向する面にバーコードが表示されている場合に前記撮像手段は当該バーコードを撮像することによって当該バーコードの情報を認識してデータ化する認識データ化手段を有する請求項１の携帯撮像機。
【請求項３】
前記挟んだシート状部材の前記光学系に対向する面に文字情報が表示されている場合に前記撮像手段は当該文字情報を撮像することによって光学的に文字情報を認識する認識手段を有する請求項１の携帯撮像機。
【請求項４】
前記撮像手段近傍に照明手段を設けた請求項１、２又は３のいずれか１項に記載の携帯撮像機。
【請求項５】
キー操作部側本体と表示部側本体とを回動軸で折りたためる構造とした携帯撮像機であって、
折りたたんだ内側に向くように前記キー操作部側本体と表示部側本体とのうちのどちらか一方に設けられたライン式に発光する発光手段と、
折りたたんだ状態で前記発光手段に対向するように前記キー操作部側本体と表示部側本体のうちの他方に配設された受光手段と、
前記発光手段と前記受光手段との間にシート状部材を挟んだ場合に前記受光手段の受光量を検知して当該シート状部材面に表示されている情報を読み取る読み取り手段と、からなる携帯撮像機。
【請求項６】
前記発光手段は、レーザ光を発光する請求項５の携帯撮像機。
【発明の詳細な説明】
【技術分野】
【０００１】
本発明は、カメラ付き携帯電話機などの携帯撮像機に関する。
【背景技術】
【０００２】
近年、カメラ付き携帯電話機によって情報を取り込む手段として、ＵＲＬ情報を表現したＱＲコードなどの２次元バーコードをカメラで撮像して取り込みＵＲＬ情報を得て当該ＵＲＬにインターネットアクセスしたり、携帯電話機の暗証番号を設定せずに指紋などでその都度本人認証したりする場合などがある。前者はバーコード読み取り機能付き携帯電話機（下記非特許文献１）として、後者はロール式指紋認証機能付き携帯電話機（下記非特許文献２）として、それぞれ市場に提供されている。また、バーコードなどの情報は、紙などのシート状部材の表面に表示されることが多い。
【０００３】
非特許文献１は、ユーザがカメラ付き携帯電話機のレンズ焦点を接写モードに設定し、２次元バーコードに画角を合わせて撮影するとＱＲコード認識ソフトウエアがバーコードを認識してデータ化する携帯電話機を開示している。しかし、これは、その都度接写モードに設定し、画角を合わせると共に照明条件も校了してバーコードデータを認識するように人間が調整する必要があり、場合によってはこれら一連の操作が非常に困難である。
【０００４】
非特許文献２は、本人認証の場合は有効だが、外部情報を取り込むのには向いていない。
【０００５】
また、下記特許文献１は、製品に貼られたバーコードを読み取る際に、バーコードが傾斜してもコードを確実に識別する技術を開示しているが、携帯電話機への適用については言及がなく、携帯電話機特有の操作・機能を考慮したものではない。
【非特許文献１】”ＺＤＮｅｔＮｅｗｓ”  平成１５年９月２４日検索、インターネット＜ＵＲＬ：http://www.zdnet.co.jp/mobile/0208/01/n ＿barcode.html＞
【非特許文献２】アルプス電気株式会社ホームページ、プレスリリース２００３年２月２５日  平成１５年９月２４日検索、インターネット＜ＵＲＬ：http://www.alps.co. jp/j/press/news2003/f0225＿j.htm ＞
【特許文献１】特開２００１−１６７２２５号公報
【発明の開示】
【発明が解決しようとする課題】
【０００６】
本発明は、上記の事実を考慮し、その都度接写モードやマクロモードに設定したり画角を合わせたりすることをせずに紙などのシート状部材の表面に表示された情報表示を撮像可能とする携帯撮像機を提供することを目的とする。
【課題を解決するための手段】
【０００７】
本発明は、被写体を撮影する光学系を備えた撮像手段を有し、キー操作部側本体と表示部側本体とを回動軸で折りたためる構造とすると共に折りたたんだ内側に前記光学系が向く携帯撮像機であって、
折りたたんだ状態でキー操作部側本体と表示部側本体との間にシート状部材を挟んだ場合に当該挟んだシート状部材の前記光学系に対向する面に前記光学系の焦点を合わせると共に前記撮像手段は当該対向する面の情報表示を撮像可能となっていることを特徴とする携帯撮像機、からなる。
【０００８】
本発明によれば、携帯電話機を折りたたんだ状態でキー操作部側本体と表示部側本体との間にシート状部材を挟むと、前記光学系の焦点がシート状部材の前記光学系に対向する面に合うことによってシート状部材面に表示されている文字、図形、模様、バーコード等の情報表示を撮像手段が撮像することができる。
【０００９】
前記携帯撮像機は、前記情報がバーコードである場合は撮像したバーコードの情報を認識してデータ化する認識データ化手段を更に有し、前記情報が文字情報である場合は撮像した文字情報を光学的に認識する認識手段を更に有する。
【発明の効果】
【００１０】
本発明によれば、シート状部材を携帯電話機のキー操作部側本体と表示部側本体との間に挟めば、携帯電話機の光学系の焦点をその都度合わせたり光学系の画角を合わせたりすることなく、シート状部材面に表示されている文字や図形が表している情報を携帯電話機に取り込むことができるので、大変便利である。
【発明を実施するための最良の形態】
【００１１】
以下、添付図面に従って、本発明を適用した携帯撮像機の実施の形態について詳説する。本形態では、携帯撮像機として折りたたみ式携帯電話機（以下、「携帯電話」という）を適用した場合を説明する。
【００１２】
まず、図２、図３を用いて携帯電話２の外観構成を説明する。図２は、携帯電話２を内側に折りたたみかけた状態の斜視図である。図３は、携帯電話２を１７０°開いた状態を示す平面図である。
【００１３】
携帯電話２は、基台３６及び上蓋３８からなり、基台３６の内側にはテンキー３４が配設されていて、上蓋３８の内側には主文字・画像情報表示部であるメイン液晶ディスプレイ（メインＬＣＤ）１６が配設されている。基台３６と上蓋３８とは、回動軸３２で接続されており、回動軸３２を中心にして一方が他方に対して１７０°まで回動可能になっている。上蓋３８のメインＬＣＤ１６の回動軸３２寄りの上蓋３８幅方向端部には、それぞれクッションラバー３３が若干突出する状態で設けられている。
【００１４】
上蓋３８内側の回動軸３２とは反対側の端部には、中央に撮像部２２が設けられており、その両サイドには照明部２４が各々設けられている。撮像部２２は撮影レンズ、鏡筒、絞り、ＣＣＤなどからなる。照明部２４は、発光ダイオード（ＬＥＤ）からなる。片方の照明部２４の幅方向端部には、携帯電話２を折りたたんだときに押圧される押圧ボタン３０が形成されている。押圧ボタン３０が押圧されることによって携帯電話２に内蔵される折りたたみ検出部４（後述）が携帯電話２が折りたたまれたことを検知する。携帯電話２が完全に折りたたまれた場合でも、基台３６の内側の面と上蓋３８の内側の面とはクッションラバー３３によって約１ｍｍの間隙が形成されている。
【００１５】
上蓋３８の裏側には、背面文字・画像情報表示部であるサブ液晶ディスプレイ（サブＬＣＤ）１７が形成されている（図５）。サブＬＣＤ１７の回動軸３２寄りの上蓋３８の幅方向端部には、背面シャッター部６が設けられており、カメラモードにしたときに携帯電話２を折りたたんだ状態で基台３６と上蓋３８との間で撮像部２２に対応する位置に紙などのシート状のものを挟むと背面シャッター部６を押すことにより、撮像部２２側に向いている当該シート状の表面のバーコード等を撮像することができる。
【００１６】
携帯電話２の機能構成を説明する。
【００１７】
図１は、携帯電話２の機能構成を示すブロック図である。
【００１８】
携帯電話２は、折りたたみ検出部４、背面シャッター部６、制御部８、メモリ１０、画像処理部１２、通信データ入出力部１４、主文字・画像情報表示部１６、背面文字・画像情報表示部１７、テンキー等ボタンインターフェース（Ｉ／Ｆ）１８、電話部２０、撮像部２２、照明部２４からなり、これらがバスで接続されている。
【００１９】
折りたたみ検出部４は、前述の押圧ボタン３０が押圧されると携帯電話２が折りたたまれたことを検出する。
【００２０】
背面シャッター部６は、カメラモードにした状態で携帯電話２を折りたたみ、シート状部材を基台３６と上蓋３８とで挟んだときに背面シャッター部６を押すことにより撮像部２２を作動させる。
【００２１】
制御部８は、携帯電話２を統括制御するＣＰＵである。制御部８は、パワー電源、テンキーボタン、折りたたみ検出部４、背面シャッター部６から受け入れする入力信号に基づいて、対応する回路の動作を制御し、主文字・画像情報表示部１６における表示の制御、、背面文字・画像情報表示部１７における表示の制御、メインシャッター作動制御、背面シャッター作動制御、オートフォーカス（ＡＦ）制御、自動露出（ＡＥ）制御、ホワイトバランス制御、画像補正制御、等を行う。
【００２２】
なお、テンキー３４は、携帯電話２を開いた状態で押すメインシャッター、照明部２４を点灯させる点灯ボタンを含む。
【００２３】
メモリ１０は、各種システムプログラム、登録済み電話番号、登録済みメールアドレス、受信済みメッセージ、着信記録、撮影済み画像、ＱＲコード認識ソフトウエア等を記憶している。
【００２４】
画像処理部１２は、撮像部２２で撮影した画像の補正処理（ホワイトバランス補正、フレア補正など）を行う。
【００２５】
通信データ入出力部１４は、電話回線、インターネット回線との接続を行うことが可能で、外部端末への電話、メール、画像付きメール等の発信機能、外部端末からの電話、メール、画像付きメール等の受信機能を有する。
【００２６】
主文字・画像情報表示部１６は、電話、メールに関する文字情報や撮影中の画像、受信した画像についての画像情報を表示し、液晶ディスプレイ（ＬＣＤ）が用いられる。
【００２７】
背面文字・画像情報表示部１７は、カメラモードをＯＮにした状態で携帯電話２を折りたたみ、シート状部材を基台３６と上蓋３８とで挟んだときに撮像部２２に写った画像を表示し、液晶ディスプレイ（ＬＣＤ）が用いられる。
【００２８】
テンキー等ボタンインターフェース（Ｉ／Ｆ）１８は、テンキー、スクロールバーなどの入力要素のインターフェースであり、入力情報を受け付ける。
【００２９】
電話部２０は、電話に関する機能を有している。
【００３０】
撮像部２２は、撮像に関する機能を有している。
【００３１】
照明部２４は、携帯電話２を開いた状態、閉じた状態にかかわらず、被写体が暗い場合にテンキー３４の照明ボタンを操作することにより点灯する。メインシャッターや背面シャッター部６が押されたときに同期して点灯させるモードにもできる。
【００３２】
図４、図５を用いて本実施の形態の作用を説明する。
【００３３】
図４は、携帯電話２を折りたたんで折りたたんだ隙間に名刺４０の一部を挟んだ状態を示す側面図、図５は、携帯電話２を折りたたんで折りたたんだ隙間に名刺４０の一部を挿入するときの状態を示す平面図、である。
【００３４】
カメラモードをＯＮにした状態で携帯電話２を折りたたむと押圧ボタン３０が押圧されて折りたたみ検出部４で携帯電話２が折りたたまれたことを検出する。折りたたんだ状態では基台３６と上蓋３８との間に約１ｍｍの隙間ができる。この隙間にシート状部材、例えば、表面端部にバーコード（ＱＲコード）４２が表示された名刺４０を挿入する。名刺４０が挿入されている間、撮像部の作動はＯＮになっており、撮像部２２の撮像した画像信号が制御部８に送られ、画像処理部１２で上記所定の画像処理がされて背面文字・画像情報表示部１７に画像が表示される。名刺４０が撮像部２２と対面する場所に静止すると、撮像部２２の撮影レンズの焦点は名刺４０の表面に合うよう、マクロモードに設定される。撮像部２２の前記マクロモードへの切り替えは、撮像部２２が撮像した画像信号が制御部８に送られ、画像処理部１２での画像処理の結果、画像に所定以上の周波数が検出されると制御部８が撮像部２２にマクロモード設定指令を出して撮影レンズ位置をマクロモードに移動させる機構のものとすることができる。
【００３５】
また、押圧ボタン３０の押圧により図示しないアクチュエータが作動して撮影レンズ位置をマクロモード位置に移動させることも可能である。
【００３６】
本実施の形態では、名刺４０に印刷されたバーコード（ＱＲコード）４２を撮像部２２が撮像する例を示している。撮像する際に、背面文字・画像情報表示部１７には、バーコード４２が表示されている。撮像部２２がバーコード４２を撮像する場合は、背面シャッター部６を押す。すると、焦点の合ったバーコード画像がＣＣＤに取り込まれ、画像処理部１２で画像処理されてメモリ１０上でメモリ１０に格納されたＱＲコード認識ソフトウエアによりバーコードが認識されてデータ化され当該バーコードが含んでいる情報が取り出される。
【００３７】
撮像する際に上記照明部２４を前述のように点灯させることもできる。なお、基台３６と上蓋３８との隙間にシート状部材を挿入したとき又は画像に上記所定以上の周波数が検出された場合に照明部２４を点灯させるようにしてもよい。基台３６と上蓋３８との隙間にシート状部材を挿入したときを検知するには、携帯電話２が折りたたまれている間、基台３６と上蓋３８との間に電気的接点を設け、この電気的接点がシート状部材挿入により切られたことにより検知する方法をとることができる。撮像部２２の前記マクロモードへの切り替えも、この方法によりシート状部材挿入時とすることもできる。
【００３８】
本形態により、携帯電話２を折りたたんだ状態でシート状部材を携帯電話２の基台３６と上蓋３８との隙間に挟めば、携帯電話２の撮像部２２の撮影レンズの焦点をその都度合わせたり画角を合わせたりすることなく、シート状部材面に表示されているバーコードが表している情報を携帯電話２に取り込んで認識することができるので大変便利である。
【００３９】
なお、バーコードはＱＲコードに限らず、他の２次元バーコードや１次元バーコードでも適用することができる。
【００４０】
また、撮像部２２をＯＣＲ(Optical Character Reader)（光学的文字読取装置）として機能させることもできる。これによって、印刷されあるいは手書きされた文字の形を感光素子を用いて電気信号に変えることによって自動的にシート状部材面の文字を認識することができる。
【００４１】
また、撮像部２２の代わりに、撮像部２２の箇所にラインセンサーの感光部を携帯電話２の長手方向に沿って設け、携帯電話２を折りたたんだ状態で基台の前記感光部に対応する箇所に受光部を設けることもできる。これによって、基台３６と上蓋３８との隙間にシート状部材を挿入したときに受光部の受光量を検知してシート状部材面に表示されている情報を読み取るようにしてもよい。感光部と受光部の配設は上記の逆でもよく、感光部を基台３６に、受光部を上蓋３８に設けてもよい。
【００４２】
上記ラインセンサーの代わりにレーザ光発光部とレーザ光受光部とを設けて同様にシート状部材面に表示されている情報を読み取るようにしてもよい。
【図面の簡単な説明】
【００４３】
【図１】携帯電話の機能構成を示すブロック図。
【図２】携帯電話を内側に折りたたみかけた状態の斜視図。
【図３】携帯電話を１７０°開いた状態を示す平面図。
【図４】携帯電話を折りたたんで折りたたんだ隙間に名刺の一部を挟んだ状態を示す側面図。
【図５】携帯電話を折りたたんで折りたたんだ隙間に名刺の一部を挿入するときの状態を示す平面図。
【符号の説明】
【００４４】
２・・・ 携帯電話、４・・・ 折りたたみ検出部、６・・・ 背面シャッター部、８・・・ 制御部、１０・・・ メモリ、１２・・・ 画像処理部、１６・・・ 主文字・画像情報表示部、１７・・・ 背面文字・画像情報表示部、１８・・・ テンキー等ボタンＩ／Ｆ、２２・・・ 撮像部、２４・・・ 照明部、３０・・・ 押圧ボタン、３２・・・ 回動軸、３３・・・ クッションラバー、３４・・・ テンキー、３６・・・ 基台、３８・・・ 上蓋、４０・・・ 名刺、４２・・・ バーコード
【図１】
2005150924.tif 000003
【図２】
2005150924.tif 000004
【図３】
2005150924.tif 000005
【図４】
2005150924.tif 000006
【図５】
2005150924.tif 000007